(57)【要約】【課題】イオン発生室の導入口を本体外部ではなく吸引経路に連通させた構成とすることで、塵埃吸引口からの吸込空気流量を維持したままで、微小な塵埃の捕集能力の低下を防止することができる電気掃除機の提供。【解決手段】吸気を発生させる電動送風機（図示せず）と、吸引口から電動送風機に連通する吸引経路３１と、イオンを発生させる放電手段４０が設けられたイオン発生室３２と、放電手段４０が発生させたイオンにより帯電された塵埃を捕集する捕集手段３５とを備える電気掃除機。イオン発生室３２は、吸引経路３１に連通して吸気を導入する導入口３３と、導入口３３より下流側で吸引経路３１に連通してイオンを含む吸気を導出する導出口３４とを備え、捕集手段３５は、導出口３４より導出されたイオンにより帯電された塵埃を捕集する構成である。【選択図】図３
2007159654.tif 000002
【特許請求の範囲】
【請求項１】
塵埃を吸い込む吸引口と、吸気を発生させる電動送風機と、前記吸引口から該電動送風機に連通する吸引経路と、イオンを発生させる放電手段が設けられたイオン発生室と、該放電手段が発生させたイオンにより帯電された塵埃を捕集する捕集手段とを備える電気掃除機において、
前記イオン発生室は、前記吸引経路に連通して前記吸気を導入する導入口と、該導入口より下流側で吸引経路に連通して前記イオンを含む前記吸気を導出する導出口とを備え、前記捕集手段は、該導出口より導出されたイオンにより帯電された塵埃を捕集するように構成してあることを特徴とする電気掃除機。
【請求項２】
前記イオン発生室を経由する吸気の流量は、該イオン発生室を経由しない吸気の流量より小さくなるように構成してある請求項１記載の電気掃除機。
【請求項３】
前記導入口は、吸気に含まれる塵埃を捕集する第１塵埃捕集手段を備える請求項１又は２記載の電気掃除機。
【請求項４】
前記導出口は、吸気に含まれる塵埃を捕集する第２塵埃捕集手段を備える請求項１乃至３の何れか１項に記載の電気掃除機。
【請求項５】
前記第１塵埃捕集手段及び／又は第２塵埃捕集手段はフィルタである請求項３又は４記載の電気掃除機。
【請求項６】
塵埃を吸い込む吸引口と、吸気を発生させる電動送風機と、前記吸引口から該電動送風機に連通する吸引経路と、前記電動送風機から外部へ排気を吐出する排気経路と、イオンを発生させる放電手段が設けられたイオン発生室と、該放電手段が発生させたイオンにより帯電された塵埃を捕集する捕集手段とを備える電気掃除機において、
前記イオン発生室は、前記排気経路に連通して排気を導入する導入口と、前記吸引経路に連通して前記イオンを含む前記排気を導出する導出口とを備え、前記捕集手段は、該導出口より導出されたイオンにより帯電された塵埃を捕集するように構成してあることを特徴とする電気掃除機。
【請求項７】
前記イオン発生室の放電手段から導出口に至る流路の内面は、電気的な絶縁物で形成されている請求項１乃至６の何れか１項に記載の電気掃除機。
【請求項８】
前記放電手段が有する放電電極の極性は正である請求項１乃至７の何れか１項に記載の電気掃除機。
【請求項９】
前記放電手段が有する放電電極は針形状である請求項１乃至８の何れか１項に記載の電気掃除機。
【発明の詳細な説明】
【技術分野】
【０００１】
本発明は，主に家庭用に用いられる電気掃除機の塵埃捕集手段に関し、特に電気掃除機へ電気集塵を適用する際の放電電極の配置に関するものである。
【背景技術】
【０００２】
従来から、微小な塵埃を捕集する為に電気集塵が行なわれている。最も多用される構成では、先ず、放電電極とその対向電極間に高電圧を印加することでイオンを発生させ、捕集対象の塵埃を帯電させる。次いで、その帯電塵埃を集塵電極とその対向電極とが作り出す電界中に送出し、帯電塵埃をクーロン力により空気から分離して捕集する。
この場合、放電電極及び集塵電極への塵埃の付着量が増加すると、イオン量の低下及び電界の弱化を引き起こすので、集塵性能が低下する。特に、イオンを発生させる為にコロナ放電を利用することが多く、放電電極は、電気力線を集中させる為に、表面積を非常に小さくしているので、塵埃付着の影響を受けやすい。
【０００３】
特許文献１には、これらの対策を講じた電気集塵機が開示されている。この電気集塵機では、放電手段が設けられたイオン発生室の導入口と、塵埃を吸い込む吸引口とを各々別個にし、イオン発生室の導出口を吸引経路に連通させる構成とすることで、塵埃による放電手段の汚染を低減している。
また、特許文献２に開示された電気集塵機では、イオン発生室の導入口と塵埃を吸い込む吸引口とを各々別個にした上で、発生イオンを含む空気と、塵埃を含む空気とを混合室内で螺旋状に回転させて混合することにより、塵埃の帯電効果を高めて集塵性能の低下を防いでいる。更に、混合室の内面を電気的な絶縁物で包囲することにより、発生したイオン及び帯電した塵埃がクーロン力で捕集される前に、電気的に中和されることを防いでいる。
【特許文献１】特開平９−２７６７３７号公報
【特許文献２】特開２００５−４６７６１号公報
【発明の開示】
【発明が解決しようとする課題】
【０００４】
上述したようなイオン発生室の構成では、吸引空気の一部がイオン発生室の導入口より流入するので、同等の経路圧力損失及び電動送風機を有する場合には、塵埃を吸い込む吸引口からの空気流量が目減りすることになる。その為、これらの電気集塵機をそのまま電気掃除機に適用すると、微小な塵埃の捕集能力は高いが、塵埃吸引口からの吸込空気流量は少なく、通常の塵埃の捕集能力は低い電気掃除機になってしまうという問題がある。
本発明は、上述したような事情に鑑みてなされたものであり、イオン発生室の導入口を本体外部ではなく吸引経路に連通させた構成とすることで、塵埃吸引口からの吸込空気流量を維持したままで、微小な塵埃の捕集能力の低下を防止することができる電気掃除機を提供することを目的とする。
【課題を解決するための手段】
【０００５】
本発明に係る電気掃除機は、塵埃を吸い込む吸引口と、吸気を発生させる電動送風機と、前記吸引口から該電動送風機に連通する吸引経路と、イオンを発生させる放電手段が設けられたイオン発生室と、該放電手段が発生させたイオンにより帯電された塵埃を捕集する捕集手段とを備える電気掃除機において、前記イオン発生室は、前記吸引経路に連通して前記吸気を導入する導入口と、該導入口より下流側で吸引経路に連通して前記イオンを含む前記吸気を導出する導出口とを備え、前記捕集手段は、該導出口より導出されたイオンにより帯電された塵埃を捕集するように構成してあることを特徴とする。
【０００６】
この電気掃除機では、吸引口で塵埃を吸い込み、電動送風機で吸気を発生させ、吸引経路が、吸引口から電動送風機に連通している。イオン発生室にイオンを発生させる放電手段が設けられ、捕集手段が、放電手段が発生させたイオンにより帯電された塵埃を捕集する。イオン発生室は、導入口が、吸引経路に連通して吸気を導入し、導出口が、導入口より下流側で吸引経路に連通してイオンを含む吸気を導出し、捕集手段は、導出口より導出されたイオンにより帯電された塵埃を捕集する。
【０００７】
本発明に係る電気掃除機は、前記イオン発生室を経由する吸気の流量は、該イオン発生室を経由しない吸気の流量より小さくなるように構成してあることを特徴とする。
【０００８】
本発明に係る電気掃除機は、前記導入口は、吸気に含まれる塵埃を捕集する第１塵埃捕集手段を備えることを特徴とする。
【０００９】
本発明に係る電気掃除機は、前記導出口は、吸気に含まれる塵埃を捕集する第２塵埃捕集手段を備えることを特徴とする。
【００１０】
本発明に係る電気掃除機は、前記第１塵埃捕集手段及び／又は第２塵埃捕集手段はフィルタであることを特徴とする。
【００１１】
本発明に係る電気掃除機は、塵埃を吸い込む吸引口と、吸気を発生させる電動送風機と、前記吸引口から該電動送風機に連通する吸引経路と、前記電動送風機から外部へ排気を吐出する排気経路と、イオンを発生させる放電手段が設けられたイオン発生室と、該放電手段が発生させたイオンにより帯電された塵埃を捕集する捕集手段とを備える電気掃除機において、前記イオン発生室は、前記排気経路に連通して排気を導入する導入口と、前記吸引経路に連通して前記イオンを含む前記排気を導出する導出口とを備え、前記捕集手段は、該導出口より導出されたイオンにより帯電された塵埃を捕集するように構成してあることを特徴とする。
【００１２】
この電気掃除機では、吸引口で塵埃を吸い込み、電動送風機で吸気を発生させ、吸引経路が、吸引口から電動送風機に連通し、排気経路が、電動送風機から外部へ排気を吐出する。イオン発生室にイオンを発生させる放電手段が設けられ、捕集手段が、放電手段が発生させたイオンにより帯電された塵埃を捕集する。イオン発生室は、導入口が、排気経路に連通して排気を導入し、導出口が、吸引経路に連通してイオンを含む排気を導出し、捕集手段は、導出口より導出されたイオンにより帯電された塵埃を捕集する。
【００１３】
本発明に係る電気掃除機は、前記イオン発生室の放電手段から導出口に至る流路の内面は、電気的な絶縁物で形成されていることを特徴とする。
【００１４】
本発明に係る電気掃除機は、前記放電手段が有する放電電極の極性は正であることを特徴とする。
【００１５】
本発明に係る電気掃除機は、前記放電手段が有する放電電極は針形状であることを特徴とする。
【発明の効果】
【００１６】
本発明に係る電気掃除機によれば、塵埃吸引口からの吸込空気流量を維持したままで、塵埃による放電手段汚染に起因する電気集塵性能の低下を防止することができる。
【００１７】
本発明に係る電気掃除機によれば、塵埃吸引口からの吸込空気流量を維持したままで、塵埃による放電手段汚染に起因する電気集塵性能の低下を防止することができ、また、イオン発生室への空気流量が少ないので、塵埃による放電手段汚染をさらに抑制することができる。
【００１８】
本発明に係る電気掃除機によれば、塵埃吸引口からの吸込空気流量を維持したままで、塵埃による放電手段汚染に起因する電気集塵性能の低下を防止することができ、また、イオン発生室の導入口で塵埃を捕集するので、吸引空気中に塵埃が多く含まれていても、塵埃による放電手段汚染を抑制することができる。
【００１９】
本発明に係る電気掃除機によれば、塵埃吸引口からの吸込空気流量を維持したままで、塵埃による放電手段汚染に起因する電気集塵性能の低下を防止することができ、また、イオン発生室の導出口で塵埃を捕集するので、電動送風機の停止時などに吸引空気が逆流しても、塵埃による放電手段汚染を抑制することができる。
【００２０】
本発明に係る電気掃除機によれば、塵埃吸引口からの吸込空気流量を維持したままで、塵埃による放電手段汚染に起因する電気集塵性能の低下を防止することができ、また、フィルタが吸気に含まれる塵埃を捕集するので、簡単な構造で塵埃による放電手段汚染を抑制することができる。
【００２１】
本発明に係る電気掃除機によれば、塵埃吸引口からの吸込空気流量を維持したままで、塵埃による放電手段汚染に起因する電気集塵性能の低下を防止することができ、また、イオン発生室の導入口が排気経路に連通した構成であるので、導入口に塵埃捕集手段を設けなくても、塵埃による放電手段の汚染を抑制することができる。また、本体外部への排気量が減少するので、床面等に未捕集のまま残っている塵埃の巻き上げ量も減少する。
【００２２】
本発明に係る電気掃除機によれば、塵埃吸引口からの吸込空気流量を維持したままで、塵埃による放電手段汚染に起因する電気集塵性能の低下を防止することができ、また、放電手段により発生したイオンが導出口に到達する前に、電気的に中和されることがなくなるので、塵埃帯電量の低下を防止することができる。
【００２３】
本発明に係る電気掃除機によれば、塵埃吸引口からの吸込空気流量を維持したままで、塵埃による放電手段汚染に起因する電気集塵性能の低下を防止することができ、また、放電電極の極性が負である場合に比較して、放電電極の電圧が等しい場合は、オゾン発生量が少ないので、オゾン除去手段を簡易に、又は不要にすることができる。
【００２４】
本発明に係る電気掃除機によれば、塵埃吸引口からの吸込空気流量を維持したままで、塵埃による放電手段汚染に起因する電気集塵性能の低下を防止することができる。また、放電電極が針形状であるので、電極単体で電極形状を維持することができ、保持部材の構成が容易となる上に、振動及び大きい塵埃の衝突に対して、放電電極に充分な強度を持たせることができる。
【発明を実施するための最良の形態】
【００２５】
以下に、本発明をその実施の形態を示す図面に基づき説明する。
（実施の形態１）
図１は、本発明に係る電気掃除機の実施の形態１の外観を示す模式図である。
この電気掃除機は、塵埃を吸気と共に吸い込む吸込口１と、一端が吸込口１の出口側に接続された真直ぐな吸引パイプ２と、吸引パイプ２の他端に一端が接続され、取っ手を備えた接続パイプ３と、接続パイプ３の他端に一端が接続された折れ曲がり自在のサクションホース４と、サクションホース４の他端に接続された本体５とを備えている。
図１では、塵埃を含んだ吸気の流れが矢印で示されており、吸込口１から流入した吸気は、吸引パイプ２、接続パイプ３及びサクションホース４の順に吸引経路を流れてから、本体５で塵埃を除去されて本体５の外部へ排気される。
【００２６】
図２は、本体５の内部構成例を説明する為の模式図である。
この本体５は、サクションホース４からの吸気をろ過するバッグ状の紙フィルタ６ａを収納するフィルタろ過室６と、紙フィルタ６ａを透過した吸気が、フィルタろ過室６の出口に接続された吸引経路８を経由して通過する電気捕集部７と、吸気を発生させる電動送風機部９とを備えている。また、電気捕集部７及び電動送風機部９を接続する吸引経路１０と、電動送風機部９から本体５の外部への排気経路１１とを備えている。フィルタろ過室６は、紙フィルタ６ａの吸込口を兼ねる入口及び吸引経路８が接続されている出口以外は密閉構造になっている。
【００２７】
電動送風機部９は、筐体内に、電気捕集部７からの吸引経路１０に接続され吸気を発生させるファン１２と、ファン１２を駆動するモータ１３とを備えている。電動送風機部９の筐体は、吸引経路１０及び排気経路１１が接続されている入口及び出口以外は密閉構造になっている。ファン１２から出た気流は、モータ１３付近などを冷却しながら、排気経路１１へ到達して本体５の外部へ放出される。
【００２８】
図３は、電気捕集部７の内部構成例を説明する為の模式図である。
この電気捕集部７は、イオンを発生させるイオン発生室３２と、イオン発生室３２が発生させたイオンにより帯電された塵埃を捕集する捕集部３５とを備えている。
電気捕集部７は、主経路３１の一端がフィルタろ過室６からの吸引経路８に接続されて入口が形成され、主経路３１の他端は捕集部３５の入口に接続されている。捕集部３５の出口は、経路３６の一端に接続され、経路３６の他端は、吸引経路１０に接続されて、電気捕集部７の出口が形成されている。
【００２９】
イオン発生室３２は、主経路３１の一端付近に経路３３ａが接続されて導入口３３が形成され、導入口３３からの経路３３ａの途中にろ過フィルタ３３ｂが設けられている。また、主経路３１の他端付近にイオン発生室３２からの経路３４ａが接続されて導出口３４が形成され、経路３４ａの途中にろ過フィルタ３４ｂが設けられている。
【００３０】
イオン発生室３２は、放電電極４０及び放電電極４０の対向電極４１を備えており、放電電極４０は、イオン発生室３２の上部内壁に固定された保持部材４２ａ，４２ｂにより絶縁保持され、対向電極４１は、イオン発生室３２の下部内壁に保持されている。放電電極４０は、直径０．１５ｍｍのタングステン線であり、単体で直線形状を維持することは困難である為、電気絶縁性の高いＰＥＴ（ポリエチレンテレフタレート）材で形成され弾性を有する保持部材４２ａ、４２ｂにより張力を与えられて保持されている。対向電極４１は、平板形状のステンレス材で形成されている。
【００３１】
放電電極４０及び対向電極４１には、高電圧発生回路４３ａの正極及び負極（接地端子）がそれぞれ接続されている。
捕集部３５は、集塵用電極４４が上部内壁に絶縁保持され、集塵用電極４４の対向電極４５が下部内壁に保持され、集塵用電極４４及び対向電極４５には、高電圧発生回路４３ｂの正極及び負極（接地端子）がそれぞれ接続されている。
【００３２】
以下に、このような構成の本体５の動作を説明する。
本体５に流入した塵埃を含む空気は、先ず、フィルタろ過室６の紙フィルタ６ａに送られる。紙フィルタ６ａは、原紙の層数や気孔径の調整により、１００μｍ径の塵埃を捕集率５０％でろ過除去する。ろ過除去された空気は、吸引経路８を通って電気捕集部７へ流入する。
【００３３】
電気捕集部７では、主経路３１に流入した空気の一部は、導入口３３から経路３３ａへ分流されるが、経路３３ａの断面積は主経路３１より小さく、また、経路３３ａは主経路３１の流れに対する分岐管構造である為、経路３３ａでの空気流量は主経路３１での空気流量より少ない。経路３３ａへ分流された空気は、目開き３０μｍのポリエステル製メッシュろ過フィルタ３３ｂにより塵埃が除去される。
このように、イオン発生室３２へ流れる空気は、流量が少ない上に、塵埃が高い割合で除去されているので、放電電極４０及びその対向電極４１の汚染を大幅に抑制することができる。
【００３４】
高電圧発生回路４３ａは、商用交流電源から得た電圧をトランスにより昇圧し、さらにダイオードとコンデンサとを直列に積み上げた倍電圧整流回路で昇圧することで、６ｋＶの正の直流電圧を発生させる。この６ｋＶを放電電極４０に印加すると、接地された対向電極４１との間に０．５ｍＡ程度の電流が流れ、放電電極４０に電気力線が集中して、いわゆるコロナ放電が発生する。このとき、放電電極４０近傍の強電界による電離域で生成された正孔および正イオンは、気流に乗ってイオン発生室３２から経路３４ａへ送出される。
【００３５】
ここで、経路３４ａの内面は、電気絶縁性の高い即ち電気抵抗率の大きいＰＥＴ材で形成されているので、正孔及び正イオンが内面に衝突しても電気的に中和されにくい。また、ろ過フィルタ３４ｂは、目開き３０μｍのポリエステル製メッシュろ過フィルタであり、ポリエステルも電気抵抗率が大きいので、正孔及び正イオンが衝突しても電気的に中和されにくい。また、このろ過フィルタ３４ｂにより、電動送風機部９の停止時に空気が主経路３１から経路３４ａへ逆流しても、塵埃による放電電極４０の汚染を抑制することができる。
【００３６】
尚、高電圧発生回路４３ａにより放電電極４０に負電圧を印加した場合、自由電子及び負イオンが発生し、これらの作用により（正電圧を印加する場合と比較して）多くのオゾンが生成される。このオゾンが、ある濃度まで上昇して電気掃除機外へ排出されると、ユーザが異臭を感じるので、オゾン濃度の上昇を防止する手段が必要となる。本実施の形態では、このような事態を回避する為に、高電圧発生回路４３ａにより放電電極４０に正の電圧を印加している。
【００３７】
正孔及び正イオンが送出された経路３４ａは、主経路３１に対する合流管構造となっているので、送出された正孔及び正イオンは、導出口３４から主経路３１に流入して、塵埃を含む空気と混合され、塵埃を正に帯電する。
正に帯電された塵埃を含む空気は、平板形状のステンレス材で形成された集塵用電極４４及びその対向電極４５を備える捕集部３５に流入する。
高電圧発生回路４３ｂは、高電圧発生回路４３ａと同様の構成であり、１０ｋＶの正の直流電圧を発生させ、集塵用電極４４及びその対向電極４５間に印加する。
【００３８】
１０ｋＶの正の直流電圧が印加された集塵用電極４４及び対向電極４５間に発生した電界中に、正に帯電した塵埃が流入すると、クーロン力の作用により塵埃は空気から分離され、対向電極４５へ引き寄せられて捕集される。
以上のようにして塵埃を除去された空気は、経路３６を流れて電気捕集部７から吸引経路１０へ吸い出され、ファン１２及び排気経路１１を経由して本体５の外部へ放出される。
【００３９】
（実施の形態２）
図４は、本発明に係る電気掃除機の実施の形態２の本体の内部構成を説明する為の模式図である。本発明に係る電気掃除機の実施の形態２の外観は、上述した実施の形態１の外観（図１）と同様であるので、説明を省略する。
この本体５ａは、サクションホース４からの吸気が吸引経路８を経由して通過する電気捕集部７ａと、吸気を発生させる電動送風機部９とを備えている。また、電気捕集部７ａ及び電動送風機部９を接続する吸引経路１０と、電動送風機部９から本体５ａの外部への排気経路１１ａとを備えている。
【００４０】
電動送風機部９は、筐体内に、電気捕集部７ａからの吸引経路１０に接続され吸気を発生させるファン１２と、ファン１２を駆動するモータ１３とを備えている。電動送風機部９の筐体は、吸引経路１０及び排気経路１１ａが接続されている入口及び出口以外は密閉構造になっている。ファン１２から出た気流は、モータ１３付近などを冷却しながら、排気経路１１ａへ到達して本体５の外部へ放出される。
排気経路１１ａの途中には、経路５０への導入口５１が設けられ、経路５０は電気捕集部７ａへ連通している。
【００４１】
図５は、電気捕集部７ａの内部構成例を説明する為の模式図である。
この電気捕集部７ａは、イオンを発生させるイオン発生室３２ａと、イオン発生室３２ａが発生させたイオンにより帯電された塵埃を捕集するエレクトロサイクロン集塵部７０とを備えている。
電気捕集部７ａは、主経路３１の一端が吸引経路８に接続されて入口が形成され、主経路３１の他端はエレクトロサイクロン集塵部７０の入口に接続されている。エレクトロサイクロン集塵部７０の出口は、経路３６の一端に接続され、経路３６の他端は、吸引経路１０に接続されて、電気捕集部７ａの出口が形成されている。
【００４２】
イオン発生室３２ａは、排気経路１１ａからの経路５０に導入用の経路３３ａが接続され、また、主経路３１の他端付近にイオン発生室３２ａからの経路３４ａが接続されて導出口３４が形成され、経路３４ａの途中にろ過フィルタ３４ｂが設けられている。
イオン発生室３２ａは、放電電極６０及び放電電極６０の対向電極４１を備えており、放電電極６０は、イオン発生室３２ａの上部内壁に固定された保持部材６１により絶縁保持され、対向電極４１は、イオン発生室３２ａの下部内壁に保持されている。
【００４３】
放電電極６０はステンレス材の針形状であって、単体で形状を維持することができるので、保持部材６１の構成が容易となる上に、振動や大きな塵埃の衝突に対して充分な強度を持つことができる。対向電極４１は、平板形状のステンレス材で形成されている。
放電電極６０及び対向電極４１には、高電圧発生回路４３ａの正極及び負極（接地端子）がそれぞれ接続されている。
【００４４】
エレクトロサイクロン集塵部７０は、主経路３１の他端に接続された外筒７１、集積室７２及び内筒７３と、集塵用電極７４と、集塵用電極７４の対向電極７５と、高電圧発生回路４３ｂとを備えている。
外筒７１の上部は、主経路３１が接線方向に接続された、上底を有する円筒形状であり、下部は逆円錐形状になっている。外筒７１の下方には、外筒７１へ開口した有底円筒形状の集積室７２が設けられており、外筒７１の中央部から上底を突き抜けた上方には、外筒７１内に開口した内筒７３が貫設され、外筒７１の最下部付近から内筒７３の上端部にかけての中心部には、集塵用電極７４が設けられている。
【００４５】
集塵用電極７４は、ステンレス材で形成された直径４ｍｍの棒形状であり、外筒７１の軸中心に配置されている。対向電極７５は、ステンレス材で形成され、外筒７１の逆円錐形状部分の内壁に沿って配置されている。集塵用電極７４及び対向電極７５には、高電圧発生回路４３ｂの正極及び負極（接地端子）がそれぞれ接続されている。
内筒７３の上端部は、経路３６に接続され、吸引経路１０を通じて電動送風機部９に接続されている。
【００４６】
以下に、このような構成の本体５ａの動作を説明する。
本体５ａにおいて、経路５０は、経路１１ａの流れに対する分岐管構造となっており、導入口５１より経路１１ａを流れる空気の一部が流入する。経路５０は、電気捕集部７ａへ連通しており、塵埃を除去された空気の一部が排気されずに、再び電気捕集部７ａへ流入する。この為、本体５ａ外部への排気量が減少するので、床面等に未捕集のまま残っている塵埃の巻き上げ量も減少する。
【００４７】
経路５０から経路３３ａへ流入した空気は、イオン発生室３２へ送られる。イオン発生室３２へ送られた空気は、既に塵埃を除去されているので、別段の塵埃捕集手段を設けなくても、塵埃による放電電極６０の汚染を抑制することができる。
放電電極６０は、高電圧発生回路４３ａが発生する＋６ｋＶの直流電圧が印加されると、針先端部のみで電界強度が高くなり、その付近のみに電離域が生じて正孔及び正イオンが発生する。この正孔及び正イオンは、実施の形態１と同様にして、主経路３１に流入して塵埃を含む空気と混合され、塵埃を正に帯電して、エレクトロサイクロン集塵部７０へ流入する。
【００４８】
エレクトロサイクロン集塵部７０の外筒７１へ流入した空気は、図５中の矢印で示すように、外筒７１の形状に沿った旋回気流となり、中心軸近傍の強制渦領域とその外周側の準自由渦領域とを形成しながら、下向きに移動して行く。
このとき、旋回する物質の質量に応じて遠心力が作用する為、塵埃は、外筒７１の外周側内壁に押し付けられて空気から分離され、下降気流及び重力により集積室７２に捕集される。塵埃を除去された旋回気流の殆どは上昇に転じ、内筒７３を通って経路３６へ流出する。
【００４９】
一方、高電圧発生回路４３ｂは、１０ｋＶの正の直流電圧を発生させ、発生した１０ｋＶは集塵用電極７４及び対向電極７５間に印加されている。
集塵用電極７４及び対向電極７５間に発生した電界中に、正に帯電した塵埃が流入すると、クーロン力の作用により塵埃は空気から分離され、対向電極７５へ引き寄せられて捕集される。
【００５０】
このように、遠心力作用による捕集原理とクーロン力作用による捕集原理とは全く異なっているので、同時に作用させる場合には、線形に力を加え合わせることができ、それぞれを個別に塵埃へ作用させた場合よりも捕集率の向上、及び微小粒子の集塵が可能となる。
以上のようにして、塵埃を除去された空気は、経路３６を流れて電気捕集部７ａから吸引経路１０へ吸い出され、ファン１２及び排気経路１１ａを経由して本体５ａの外部へ放出される。
【００５１】
尚、本発明は、上述した実施の形態１，２に何ら限定されるものではない。実施の形態１では、イオンにより帯電された塵埃の捕集手段として、平板形状のステンレス材で形成された電極を用いる場合を説明したが、クーロン力の作用による捕集であれば、静電フィルタ等を用いても良い。
【図面の簡単な説明】
【００５２】
【図１】本発明に係る電気掃除機の実施の形態の外観を示す模式図である。
【図２】本発明に係る電気掃除機の本体の内部構成例を説明する為の模式図である。
【図３】本発明に係る電気掃除機の電気捕集部の内部構成例を説明する為の模式図である。
【図４】本発明に係る電気掃除機の実施の形態の本体の内部構成を説明する為の模式図である。
【図５】本発明に係る電気掃除機の電気捕集部の内部構成例を説明する為の模式図である。
【符号の説明】
【００５３】
５，５ａ  本体
６ａ  紙フィルタ
７，７ａ  電気捕集部
８，１０，５０  経路
９  電動送風機部
１１，１１ａ  排気経路
１２  ファン
３１  主経路
３２，３２ａ  イオン発生室
３３，５１  導入口
３３ａ，３４ａ，３６  経路
３３ｂ，３４ｂ  ろ過フィルタ
３４  導出口
３５  捕集部
４０，６０  放電電極
４１，４５，７５  対向電極
４２ａ，４２ｂ，６１  保持部材
４３ａ，４３ｂ  高電圧発生回路
４４，７４  集塵用電極
７０  エレクトロサイクロン集塵部
７１  外筒
７２  集積室
７３  内筒
【図１】
2007159654.tif 000003
【図２】
2007159654.tif 000004
【図３】
2007159654.tif 000005
【図４】
2007159654.tif 000006
【図５】
2007159654.tif 000007